(57)【要約】  センサを含むウェアラブル装置又は埋め込み型装置の電力管理のための方法であり、センサは、ユーザの生理学的情報を提供するために構成され、センサは、第１電力モード及び第２電力モードを含む少なくとも２つの電力モードで動作するように更に構成され、第１電力モードでは、ユーザの生理学的情報が収集され、第２電力モードでは、センサは、第１電力モードよりも少ない電力を消費し、当該方法は：ユーザの健康状態を治療するように構成される健康装置が使用中であるかどうかを示す信号を受け取るステップであって、健康装置が、ユーザに対してウェアラブル装置又は埋め込み型装置とは異なる位置に配置されているステップと、信号に基づいて、ある持続時間の間、センサを第１電力モードで動作させるステップと、その後センサを第２電力モードで動作させるステップとを備える。
2019525792.tif 000002
【特許請求の範囲】
【請求項１】
複数のセンサを含むウェアラブル装置又は埋め込み型装置の電力管理のための方法であって、各センサは、ユーザの対応する生理学的情報を提供するために構成され、各センサは、第１電力モード及び第２電力モードを含む少なくとも２つの電力モードで動作するように更に構成され、前記第１電力モードでは、前記ユーザの前記生理学的情報が収集され、前記第２電力モードでは、前記センサは、前記第１電力モードよりも少ない電力を消費し、当該方法は：
前記ユーザの健康状態を治療するように構成される健康装置が使用中であるかどうかを示す信号を受け取るステップであって、前記健康装置は、前記ユーザに対して前記ウェアラブル装置又は前記埋め込み型装置とは異なる位置に配置され、前記信号は、使用中の前記健康装置のタイプに関する情報を更に含む、ステップと；
使用中の前記健康装置のタイプに基づいて、前記ウェアラブル装置の前記複数のセンサから少なくとも１つのセンサを選択するステップと；
ある持続時間の間、前記選択された少なくとも１つのセンサを前記第１電力モードで動作させ、その後、前記選択された少なくとも１つのセンサを前記第２電力モードで動作させるステップと；
を備える、方法。
【請求項２】
前記生理学的情報は、バイタルサイン情報及び／又は該バイタルサイン情報から導出される生理学的状態を含む、
請求項１に記載の方法。
【請求項３】
前記持続時間は、第１持続時間閾値又は前記健康装置によって提供される治療の有効性の指標の一方に基づき、前記有効性の指標は、前記選択された少なくとも１つのセンサによって提供される前記生理学的情報を、予め定義された有効性の閾値と比較することによって評価される、
請求項１に記載の方法。
【請求項４】
前記持続時間中に前記生理学的情報を記録するステップ
を更に含む、請求項１に記載の方法。
【請求項５】
前記センサを前記第２電力モードで動作させるステップは、（ｉ）前記センサを非アクティブにすることと、（ｉｉ）前記センサのサンプリングレートを適合させることのうちの一方を含む、
請求項１乃至４のいずれかに記載の方法。
【請求項６】
前記信号は、前記健康装置の使用時間に関する情報を更に含み、当該方法は、前記健康装置の前記使用時間に基づいて、前記持続時間の間、前記センサを第１電力モードで動作させるステップを更に含む、
請求項１乃至５のいずれかに記載の方法。
【請求項７】
前記健康装置の使用時間及び前記生理学的情報が所定の相関性から逸脱したときに警告を生成するステップを更に含む、
請求項１に記載の方法。
【請求項８】
コンピュータ上で実行するとき、請求項１乃至７のいずれかに記載の方法を実行するコンピュータプログラムコードを備える、コンピュータプログラム。
【請求項９】
ウェアラブル装置又は埋め込み型装置の電力管理のための装置であって、前記ウェアラブル装置又は前記埋め込み型装置は複数のセンサを備え、各センサは、ユーザの対応する生理学的情報を提供するために構成され、各センサは、第１電力モード及び第２電力モードを含む少なくとも２つの電力モードで動作するように更に構成され、前記第１電力モードでは、前記ユーザの前記生理学的情報が収集され、前記第２電力モードでは、前記センサは、前記第１電力モードよりも少ない電力を消費し、当該装置は：
処理ユニットと；
前記処理ユニットと電子通信し、前記ユーザの健康状態を治療するように構成される健康装置が使用中であるかどうかを示す信号を受け取るように構成される受信モジュールであって、前記信号は、使用中の前記健康装置のタイプに関する情報を更に含み、前記健康装置は、前記ユーザに対して前記ウェアラブル装置又は前記埋め込み型装置とは異なる位置に配置される、前記受信モジュールと；
前記処理ユニットと電子通信し、使用中の前記健康装置のタイプに基づいて、前記ウェアラブル装置の前記複数のセンサから少なくとも１つのセンサを選択するための選択信号を生成して送信するように構成される選択モジュールと；
前記処理ユニットと電子通信し、（ｉ）ある持続時間の間、前記選択されたセンサを前記第１電力モードで動作させるため、及び（ｉｉ）その後、前記センサを前記第２電力モードで動作させるための動作信号を送信するように構成される、オペレーティングモジュールと；
を備える、装置。
【請求項１０】
前記持続時間は、第１持続時間閾値又は前記健康装置によって提供される治療の有効性の指標の一方に基づき、前記有効性の指標は、前記選択された少なくとも１つのセンサによって提供される前記生理学的情報を、予め定義された有効性の閾値と比較することによって評価される、
請求項９に記載の装置。
【請求項１１】
前記処理ユニットと電子通信し、前記持続時間中に前記生理学的情報をメモリに記録するように構成される記録モジュール
を更に備える、請求項９又は１０に記載の装置。
【請求項１２】
前記選択された少なくとも１つのセンサを前記第２電力モードで動作させるステップは、（ｉ）前記センサを非アクティブにすることと、（ｉｉ）前記センサのサンプリングレートを適合させることのうちの一方を含む、
請求項９乃至１１のいずれかに記載の装置。
【請求項１３】
前記オペレーティングモジュールは、前記健康装置の使用時間に基づいて、前記持続時間の間、前記センサを第１電力モードで動作させるための前記動作信号を生成するように構成され、前記信号は、前記健康装置の使用時間に関する情報を更に含む、
請求項９乃至１２のいずれかに記載の装置。
【請求項１４】
前記処理ユニットと電子通信し、前記健康装置の使用時間及び前記生理学的情報が所定の相関性から逸脱したときに警告を生成するための警告モジュールを更に含む、
請求項９乃至１３のいずれかに記載の装置。
【請求項１５】
ユーザの健康情報を提供するためのシステムであって、当該システムは：
前記ユーザの健康状態を治療するように構成される健康装置が使用中かどうかを示す第１信号を提供するための健康装置と；
ウェアラブル装置又は埋め込み型装置であって、前記ユーザの少なくとも１つの生理学的情報を測定する複数のセンサを備えるウェアラブル装置又は埋め込み型装置と；
請求項９乃至１４のいずれかに記載の装置と；
を備える、システム。
【発明の詳細な説明】
【技術分野】
【０００１】
本発明は、接続される健康装置と、接続される装置及びウェアラブル装置を制御するコンピュータ実施方法に関する。より具体的には、本発明は、バイタルサイン情報を含む少なくとも１つの生理学的情報を提供するよう構成される、ウェアラブル装置又は埋め込み型装置の電力管理に関する。
【背景技術】
【０００２】
市場には、喘息吸入器、痛み緩和装置、睡眠療法装置等といった入手可能な様々な種類の健康装置がある。これらは更に無線接続が可能にされる。これらの接続される健康装置の現在の目的は、治療が行われた治療期間及び日付等をリモートサーバで又はユーザのモバイル装置に転送することである。データ転送の現在の目的は、単に治療ログを維持することにすぎない。
【０００３】
最近では、第２のセットの装置、一般に知られている健康／フィットネストラッカが、人々の人気を集めている。これらの装置は、心拍数、呼吸数等のような様々なバイタルサインもモニタする。しかしながら、現在、これらの装置は、電力管理に関して多くの課題に直面している。これらの装置はデューティサイクル、センサのサンプリングレートを利用して電力を管理するが、これらの装置は依然としてバッテリの問題を抱えている。データが最も重要に必要とされるときにフィットネストラッカが低バッテリであり、不十分なバッテリ充電のために死んでしまうこともしばしばある。
【発明の概要】
【発明が解決しようとする課題】
【０００４】
本発明は、特許請求の範囲によって定義される。
【０００５】
したがって、本発明の目的は、ウェアラブル装置又は埋め込み型装置の電力をより良好に管理するための方法、装置及びシステムを提供することである。  特許請求の範囲によって提案されるように方法／装置を実装することによって、ウェアラブル装置又は埋め込み型装置は、必要なときにのみアクティブにされ、それによってバイタルサイン等の重要な生理学的情報の利用可能性を保証する。バイタルサイン（しばしば単にバイタルと省略される）は、身体のバイタル（生命維持）機能の状態を示す、体温、血圧、心拍数、呼吸数等のような４〜６つの最も重要な徴候のグループである。生理学的情報はまた、バイタルサインから導出することができる、ストレス等の生理学的状態情報も含み得る。
【課題を解決するための手段】
【０００６】
喘息吸入器、ＣＯＰＤ患者のための酸素濃縮器、睡眠時無呼吸症候群のためのＣＰＡＰ装置又は痛み緩和装置の機能性は、空間的制約／フォームファクタ及び使い易さのために、典型的な手首／胸部装着装置と統合できない可能性がることも想定される。したがって、ユーザによって用いられる健康装置に基づくバイタルサイン情報の適応的選択は、ウェアラブル装置の電力管理を助けるだけでなく、健康装置及びウェアラブル装置によって提供されるデータのより良い利用を助ける。本質的に、治療／健康装置及びウェアラブル装置は互いに補完して複数の利点を達成する。
【０００７】
第１の態様では、ウェアラブル装置又は埋め込み型装置の電力管理のための方法が提供される。ウェアラブル装置又は埋め込み型装置は複数のセンサを含み、各センサは、ユーザの対応する生理学的情報を提供するために構成され、各センサは、第１電力モード及び第２電力モードを含む少なくとも２つの電力モードで動作するように更に構成され、第１電力モードでは、ユーザの生理学的情報が収集され、第２電力モードでは、センサは、第１電力モードよりも少ない電力を消費し、当該方法は：
ユーザの健康状態を治療するように構成される健康装置が使用中であるかどうかを示す信号を受け取るステップであって、健康装置は、ユーザに対してウェアラブル装置又は埋め込み型装置とは異なる位置に配置され、信号は、使用中の健康装置のタイプに関する情報を更に含む、ステップと；
使用中の健康装置のタイプに基づいて、ウェアラブル装置の複数のセンサから少なくとも１つのセンサを選択するステップと；
ある持続時間（time  duration）の間、選択された少なくとも１つのセンサを第１電力モードで動作させ、その後、選択された少なくとも１つのセンサを第２電力モードで動作させるステップとを備える。  
方法は少なくとも部分的にソフトウェアで実装されてよい。
【０００８】
これは、ウェアラブル装置が典型的に様々なセンサを含み、したがって、使用中の健康装置のタイプに基づくセンサを適応的な選択により、電力管理及び正しいデータの利用可能性を更に助けるので、特に有利である。
【０００９】
第２の態様では、請求項８のようなコンピュータプログラム製品が提供される。コンピュータプログラム製品は、例えばランダムアクセスメモリ（ＲＡＭ）、読み出し専用メモリ（ＲＯＭ）、ハードディスクドライブ、半導体ドライブ、ＵＳＢフラッシュドライブ、メモリカードリーダを介してアクセスされるメモリカード、関連するフロッピーディスクドライブを介してアクセスされるフロッピーディスク、光ディスクドライブを介してアクセスされる光ディスク、適切なテープドライブを介してアクセスされる磁気テープ及び／又は他のメモリコンポーネント、あるいはこれらのメモリコンポーネントのいずれか２つ以上の組合せ等である。加えて、ＲＡＭは、例えば静的ランダムアクセスメモリ（ＳＲＡＭ）、動的ランダムアクセスメモリ（ＤＲＡＭ）又は磁気ランダムアクセスメモリ（ＭＲＡＭ）及び他のそのような装置を含んでよい。ＲＯＭは、例えばプログラマブル読み出し専用メモリ（ＰＲＯＭ）、消去可能プログラマブル読み出し専用メモリ（ＥＰＲＯＭ）、電気的消去可能プログラマブル読み出し専用メモリ（ＥＥＰＲＯＭ）及び別の同様のメモリ装置を含んでよい。コンピュータプログラム製品はまた、コンピュータ／無線通信装置／ポータブル電子装置にインストールすることができ、好ましくはネットワークを介してダウンロード可能なアプリケーション（ａｐｐ）とすることができる。
【００１０】
第３の態様では、ウェアラブル装置又は埋め込み型装置の電力管理のための装置が提供される。ウェアラブル装置又は埋め込み型装置は複数のセンサを備え、各センサは、ユーザの対応する生理学的情報を提供するために構成され、各センサは、第１電力モード及び第２電力モードを含む少なくとも２つの電力モードで動作するように更に構成され、第１電力モードでは、ユーザの生理学的情報が収集され、第２電力モードでは、センサは、第１電力モードよりも少ない電力を消費し、当該装置は：
処理ユニットと；
処理ユニットと電子通信し、ユーザの健康状態を治療するように構成される健康装置が使用中であるかどうかを示す信号を受け取るように構成される受信モジュールであって、信号は、使用中の健康装置のタイプに関する情報を更に含み、健康装置は、ユーザに対してウェアラブル装置又は埋め込み型装置とは異なる位置に配置される、受信モジュールと；処理ユニットと電子通信し、使用中の健康装置のタイプに基づいて、ウェアラブル装置の複数のセンサから少なくとも１つのセンサを選択するための選択信号を生成して送信するように構成される選択モジュールと；
処理ユニットと電子通信し、（ｉ）ある持続時間の間、選択されたセンサを第１電力モードで動作させるため、及び（ｉｉ）その後、センサを第２電力モードで動作させるための動作信号を送信するように構成される、オペレーティングモジュールと；
を備える、装置。
【００１１】
第４の態様では、請求項１５のようなシステムが提供される。
【００１２】
本発明の好ましい実施形態は従属請求項で定義される。特許請求に係るシステム、装置及びコンピュータプログラム製品は、特許請求に係る方法及び従属請求項で定義されるものと同様及び／又は同一の好ましい実施形態を有することができる。
【００１３】
更なる実施形態では、持続時間は、第１持続時間の閾値又は健康装置によって提供される治療の有効性の指標の一方に基づき、有効性の指標は、選択されたセンサによって提供される生理学的情報に基づいて評価される。
【００１４】
第１持続時間を予めプログラム／予め決定することができる。例えば喘息緩和装置が使用中のときは、呼吸数は典型的に１０分内に低下するので、１０分を第１持続時間として設定することができる。
【００１５】
有効性の指標は、測定された生理学的情報を所定の有効性閾値と比較することによって計算される。所定の有効性閾値は、健康装置のタイプに基づくことができる。例えば吸入器／喘息緩和装置の場合、測定された呼吸数が、所定の呼吸数閾値（所定の有効性閾値）と連続的に比較され、測定された呼吸数が所定の呼吸数閾値と一致すると、センサを第２電力モードで動作させることになる。したがって、事実上、生理学的情報が所定の有効性閾値に達する（一致する）持続時間は、選択されたセンサが第１電力モードで動作する持続時間である。
【００１６】
さらに、測定された生理学的情報を、装置の使用時間と組み合わせて評価することができる。例えば健康装置の使用の最初の３分間の測定された呼吸数が所定の有効性閾値と一致する場合、処置が有効であることを示し、その後、対応するセンサを第２電力モードで動作させることができる。この例では、所定の有効性閾値は、装置の使用の３分以内に毎分１２〜１８回の呼吸のような呼吸数の範囲とすることができる。
【００１７】
更なる実施形態では、方法は更に、持続時間中に生理学的情報を記録する。  治療中の生理学的情報は、後の使用のために格納されて使用されるので、特に有利である。例えば介護者は、リモートにいても医師であっても後に、持続時間及び生理学的情報データを理解／解釈することができる。例えば痛み緩和装置が２５分間作動し、この持続時間中にストレスが徐々に減少することが記録された。これは、治療の有効性の明確な指示を与える。また、これは、介護者が治療期間の持続時間を変えるのを助けることができる。
【００１８】
更なる実施形態では、センサを第２電力モードで動作させるステップは、（ｉ）センサを非アクティブにすることと、（ｉｉ）センサのサンプリングレートを適合させることのうちの一方を含む。
【００１９】
更なる実施形態では、信号は、健康装置の使用時間に関する情報を更に含み、方法は、健康装置の使用時間に基づいて、持続時間の間、健康装置を第１電力モードで動作させるステップを更に含む。典型的には、健康装置が使用中であることが検出されるとすぐに、ウェアラブル装置のセンサを起動することができる。しかしながら、現在の有利な実施形態では、装置の使用時間が時間閾値よりも長いと方法が判定したときにセンサをオンに切り替えることによって、更なる電力管理を達成することができる。例えば典型的な喘息緩和装置は、数回喘いだ後、例えば２〜３回喘いだ後、最初の１０分内に不快な状況の患者を緩和すべきであるが、方法は、喘息緩和装置が、最初の１０分の後に再び使用されていると判断し、これに応じて方法は、例えば１０分等の持続時間の間、呼吸数の測定を開始するようウェアラブル装置のセンサをトリガすることができる。別の例では、酸素濃縮器は、例えば連続的に動作し、したがって、酸素濃縮器が使用閾値を超える時間使用される場合、方法は、例えば１０分等の持続時間の間、呼吸数等の生理学的パラメータを測定するよう、対応するセンサをトリガすることができる。
【００２０】
更なる実施形態では、方法は、健康装置の使用時間及び収集された生理学的情報が所定の相関から逸脱するときに警告を生成する。現在の有利な実施形態では、例えば方法は、装置が既に４分間使用されており、収集された生理学的情報に基づいて観察される、対応する改善又は所望の改善がないと判断し、方法は、介護者及び／又は健康装置のユーザに警告する。警告は、アドバイスメッセージを更に含んでよい。警報は、ユーザが医師に連絡するための表示の形態であってよく、あるいは表示、テキストメッセージ等の形態で介護者のための直接トリガとすることもできる。既知の通信手段のいずれかを使用して、ユーザ／介護者に警告することができる。
【００２１】
特許請求の範囲で定義される装置は、健康装置の一部とすることができる。したがって、健康装置はウェアラブル装置を直接トリガすることができる。あるいは、コンピュータ実施方法を、モバイル装置のような無線通信装置にインストールされる、一般にａｐｐと呼ばれるアプリケーションによって実行することができる。この場合、検出された健康装置に基づくａｐｐは、それに応じてウェアラブル装置内の関連するセンサをトリガすることができる。  様々なそのような組合せが可能であることを理解することができる。
【００２２】
上記で与えられる例は説明のためのものにすぎない。したがって、埋め込み型装置について同様の例を想定することができる。
【図面の簡単な説明】
【００２３】
本発明の実施例は添付の図面を参照して詳細に説明される：
【図１】本発明の一実施形態による、ウェアラブル装置の電力管理のために、無線通信装置によって実行される方法を示す図である。
【図２】本発明の実施形態による、健康装置に関連付けられるルールを含む、メモリに格納される表１を示す図である。
【図３】本発明の実施形態による、健康装置の使用中にウェアラブル内のセンサから収集される同期データを示す図である。
【図４】本発明の一実施形態による、無線通信装置によって方法が実行される代替的な実施形態を示す図である。
【図４ａ】本発明の一の実施形態による装置を示す図である。
【図５】本発明の一実施形態による、無線通信装置によって方法が実行される更に別の実施形態を示す図である。
【図６】本発明の一実施形態による装置を示す図である。
【図６ａ】本発明の一実施形態による健康装置に含まれる装置を示す図である。
【発明を実施するための形態】
【００２４】
図１は、ウェアラブル装置３００の電力管理のために無線通信装置２００によって実行される方法１００を示す。無線通信装置２００の一例は、iPhone（登録商標）のようなスマートフォンとすることができる。本実施形態では、この方法は、装置２００にインストールすることができるアプリケーション（ａｐｐ）の形態とすることができる。健康装置４００及びウェアラブル装置３００を、無線通信装置２００上で動作するａｐｐに事前登録することができる。
【００２５】
代替的な実施形態において、無線通信装置２００の機能を、健康装置４００及びウェアラブル装置３００と無線通信するスタンドアロン装置によって置き換えることができる。更に別の実施形態では、ウェアラブル装置３００は、いずれの中間装置も介さずに、健康装置４００又は複数の健康装置と直接対話することができる。当業者であれば、処理能力はその後、ウェアラブル装置３００をトリガすることになる健康装置４００に存在することになることが理解されよう。装置２００、３００及び４００は、インターネットのような無線ネットワーク１５００上で対話する。更に別の実施形態では、健康装置４００及びウェアラブル装置３００は、クラウドネットワークアーキテクチャを介して対話することができる。
【００２６】
現在の例では、健康装置４００は、吸入器としても知られる喘息緩和装置（asthma  relieving  device）であり、以下では吸入器４００と呼ぶ。吸入器４００は典型的に、ユーザが薬剤を含んでいるカートリッジ４０２を押すことにより作動させることができ、続いて口腔内への薬剤の放出が生じ、これがユーザによって更に吸入されるよう、口に配置される。治療期間中、装置はアクティブ状態（又は使用状態）のままであり、ユーザの喘息発作を治療する。さらに、ウェアラブル装置３００は、呼吸数センサ３０２、心拍数センサ３０４、ＳｐＯ２センサ（図示せず）等のような組み込み型の生理学的センサを有する手首装着型装置３００とすることができる。
【００２７】
方法は、ステップ１０２において、装置４００から信号を受け取る。信号は、ユーザの健康状態を治療するように構成される健康装置４００が使用中であるかどうかを示す。言い換えると、ユーザによる吸入器４００のアクティブ化が伝達される。現在の実施形態では、信号は、装置２００を介して装置４００から受け取られる。
【００２８】
さらに、信号は健康装置のタイプを示す。これは、ユーザが複数の健康装置を有しているときに特に有益である。この場合、信号は、使用中の装置４００が吸入器であるか、痛み緩和装置であるか、酸素濃縮器であるか又はＣＰＡＰ装置等であるかどうかといった、装置のタイプに関する情報を含むことになる。本質的に、信号は健康装置４００を明確に識別する。一実施形態では、各健康装置を識別する一意の識別子を含む表（図示せず）を格納することができ、一意の識別子を含む入力信号を健康装置から受け取ると、受け取った情報と格納された情報との比較を実行して、健康装置のタイプを識別することができる。現在の実施形態では、識別される装置は吸入器である。健康装置のタイプに加えて、信号は任意選択で、健康装置４００が既に使用されている期間を更に示してもよい。
【００２９】
ステップ１０４において、センサが、識別された健康装置４００のタイプに基づいて、３０２、３０４等のような複数のセンサから選択される。健康装置４００のタイプに基づいて、どのセンサをアクティブにする／作動させる必要があるかを示すルールを、表１のような表が格納することができる。現在の場合、吸入器４００に対応する呼吸数センサ３０２が選択される。表１からわかるように、吸入器４００が使用中のときは、２つ以上の健康パラメータ／生理学パラメータが有用であり得る。したがって、同様に、健康装置４００に対応する２つ以上のセンサも選択することができる。例えば吸入器４００では、心拍数センサ、呼吸数センサ及びＳｐＯ２センサを選択して、対応する生理学的情報を提供することができる。一実施形態では、例えば一度にすべて、時間をあけて逐次等のような、予め定義された条件に基づいて、吸入器４００に関連するこのような情報を提供することができるすべてのセンサをアクティブにすることができる。有利な実施形態では、図２の表１のようなルックアップテーブルが装置２００のメモリ（図示せず）に格納される。複数のセンサが利用可能であるとき、センサ３０２のようなセンサの選択が必要とされることが当業者には理解されよう。ウェアラブル装置３００がセンサ３０２のような１つのセンサのみを含み、装置４００が使用中のときに自動的にトリガされる場合がある。
【００３０】
次にステップ１０６において、この方法は、ある持続時間の間、センサ３０２を第１電力モードで動作させる。一実施形態では、持続時間は予め定義される。例えば表１は、センサ３０２を第１電力モードで動作させなければならない持続時間を示す。例えば呼吸数センサを１０分間動作させることができる。健康状態の解釈に有益であるためには、どのくらいの情報を収集するべきかについての理解に基づいて、この時間を予め定義することができる。これは、ユーザ、医者、介護者等によっても同様に定義され得る。
【００３１】
センサ３０２が第１電力モードのとき、吸入器４００が使用されている間に、生理学的情報がセンサ３０２から収集される。本質的に、生理学的情報は同期的に収集される。同期を達成するには様々な方法がある。例えば健康装置４００及びウェアラブル装置３００が接続されるａｐｐは、健康装置４００のアクティブ化の開始及びウェアラブル装置３００からのデータの転送に基づいて、生理学的情報の受信を同期させることができる。あるいは、識別子を使用して、センサ３０２からの第２信号を同期受信することができる。健康装置がアクティブにされると、ａｐｐに通知され、次いでａｐｐが双方の装置（３００、４００）に一意の識別子を伝達し、データが識別子でタグ付けされる。この場合、時間ではなく識別子を使用してデータをリンクする。
【００３２】
これは、介護者又はユーザが後に、収集されたデータに基づいて健康装置４００の使用中に治療の進行／統計を見ることができるので有利である。さらに、データ収集は同期的であったので、情報は、吸入器４００の使用中の呼吸数の上昇／下降等の情報を明確に示す。加えて、収集されたデータに基づいて、吸入器４００の投薬量を変えることができる。
【００３３】
一実施形態では、収集された同期データをウェアラブル装置３００に記録することができ、後にリモート装置に転送し、ここで分析を実行することができる。この分析をウェアラブル装置３００自体において実行することができることは明らかである。あるいは、ネットワーク１５００を介してデータを装置２００に同時に転送することができ、この場合、装置２００を介して更なる統計をユーザに提示することができる。そのような統計の１つが図３に与えられている。吸入器４００を使用の開始時には、呼吸数は高く、すなわち毎分２５回の呼吸であり、その後、毎分１２〜１８回呼吸という通常の呼吸数に低下したことがわかる。
【００３４】
ステップ１０８において、持続時間が経過した後、センサ３０２を第２電力モードで動作させる。一実施形態では、センサ３０２は、持続時間が経過した後、すなわち上記の例に続いて１０分が経過した後、オフに切り替えられる。治療の有効性に関する洞察を提供することができる量の生理学的情報は既に得られており、したがってセンサ３０２をもはやオンに切り替えられる必要はないことが理解されよう。したがって、持続時間が経過した後にオフに切り替えることは、ウェアラブル装置のより良好な電力管理に役立つ。あるいは、センサのサンプリングレートを最小にすることができ、これもウェアラブル装置３００の電力節約に役立つ。
【００３５】
ステップ１１０において、任意選択として、装置４００の使用時間（time  period）及び生理学的パラメータ情報が、予め定義された相関性を満たさない場合は、介護者のために警告を更に生成することができる。これは、介護者、ユーザ及び医師によるタイムリーな介入を助けることもできる。
【００３６】
図４は、方法１００が実行される代替的な実施形態を示す。現在の実施形態では、健康装置は、痛み緩和装置５００であり、有利には、１つ以上の光源８０６（図４ａ）を含む光線治療装置５００である。この場合、ウェアラブル装置３００は、ストレスセンサ４０２がアクティブにされると、ストレスを測定する。ストレスセンサ４０２は、心拍数センサ４０２ａ又はガルバニック皮膚反応（Galvanic  Skin  Response）センサ４０２ｂとすることができ、ストレスを更に、心拍数及び／又は皮膚反応に基づいて導出することができる。心拍数及び／又はＧＳＲ反応に基づくストレスの導出は、従来技術において既に周知であり、したがって、そのような方法のいずれかを用いてストレスを導出することができる。
【００３７】
最後の実施形態と同様に、ウェアラブル装置３００のセンサ４０２ａ及び／又は４０２ｂは、痛み緩和装置５００の使用の検出時に、痛み緩和装置５００に関連付けられるルール（表１）に基づいてアクティブにされる。さらに、センサ４０２ａ及び／又はセンサ４０２ｂを、表１で定義されるルールに基づいて、第１電力モード及び第２電力モードで動作させる。
【００３８】
同様に、（図５に示されるような）更に別の実施形態は、持続陽圧呼吸療法（ＣＰＡＰ）装置６００（健康装置）及びウェアラブル装置３００の形態とすることができる。同様に、１つ以上の関連するセンサ５０２／５０４を、表１で定義されるルールに基づいて、２つのモードのうちの１つでアクティブにして動作させることができる。
【００３９】
理解されるように、図４及び図５の実施形態は、方法１００を実行するために装置２００と対話する装置５００／６００及び装置３００に関して説明されている。代替の実施形態では、無線通信装置２００の機能を、健康装置５００／６００及びウェアラブル装置３００と無線通信するスタンドアロン装置で置き換えることができる。更に別の実施形態では、ウェアラブル装置３００は、中間装置なしに、健康装置５００及び／又は健康装置６００と直接対話することができる。当業者であれば、処理能力は、ウェアラブル装置３００をトリガすることになる健康装置５００／６００に存在することが理解されよう。装置２００、３００及び４００／６００は、インターネットのような無線ネットワーク１５００を介して対話する。更に別の実施形態では、健康装置５００及び／又は健康装置６００及びウェアラブル装置３００は、クラウドネットワークアーキテクチャを介して対話することができる。
【００４０】
図６は、本発明の一実施形態による装置７００を図示している。装置７００は、受信モジュール７０２、選択モジュール７０４、オペレーティングモジュール７０６、記録モジュール７０８、分析モジュール７１０、警告モジュール７１２及び処理モジュール７１４を含む。装置７００のモジュールは相互に電子通信する。装置７００は、スタンドアロン装置とすることができ、あるいは無線通信装置２００のような無線通信装置の一部とすることができる。
【００４１】
受信モジュール７０２は、使用中であるときにユーザの健康状態を治療するように構成される健康装置、例えば図１の健康装置４００（あるいは５００又は６００）等を示す信号を受け取る。受信モジュール７０２は、健康装置４００についての使用中等のようなステータス及びタイプに関する情報を提供するトランシーバ（図示せず）から信号を受け取る。トランシーバを健康装置４００内に組み込むことができる。一実施形態において、受信モジュール７０２は、トランシーバ（図示せず）とすることができる。
【００４２】
選択モジュール７０４は、メモリ８０４と対話して健康装置４００を認識する。各健康装置を識別する一意の識別子を含むルックアップテーブルもメモリ８０４に格納することができる。選択モジュール７０４は、受け取った「タイプ」情報を格納された情報と比較して、健康装置４００のタイプを認識する。前述したように、健康装置４００から受け取った信号は、使用中の健康装置４００を識別する一意の識別子を含み、選択モジュール７０４は、受け取った一意の識別子を、格納された一意の識別子と比較して使用中の健康装置４００を認識／識別する。
【００４３】
その後、識別された健康装置のタイプに基づいて選択モジュール７０４は、それに応じてウェアラブル装置３００のセンサを選択及びトリガするための選択信号を生成し、送信する。健康装置のタイプに基づいてどのセンサを選択すべきかを明確に指示する、予め定義されたルールを格納することができる。更なるルールは、選択されたセンサをオンに切り替えなければならない期間、デューティサイクル、サンプリングレート等のような、従うべき電力レジメンを指示することもできる。これは、図１で説明した方法１００のステップ１０４で更に詳述される。表１のようなルックアップテーブルをメモリ８０４のようなメモリに格納することができる。メモリ８０４を健康装置４００内に組み込むことができる。あるいは、メモリ８０４は、ネットワーク１５００のようなネットワークを介してアクセスされ得る健康装置４００からリモートにすることができる。また、メモリモジュール８０４は、装置２００のような無線通信装置のメモリとすることもできる。一部の実施形態では、メモリ８０４は装置７００の一部とすることができる。オペレーティングモジュール７０６は、センサが選択された後、図１で説明した方法１００のステップ１０６及び１０８を実行するよう、動作信号をウェアラブル装置の選択されたセンサに送信する。
【００４４】
さらに、記録モジュール７０８は、収集された生理学的情報をメモリ８０４に保存する。分析モジュール７１０は更に、図３のようなパターンを示し、装置２００のディスプレイ（図示せず）に提示され得る出力信号を提供するために、記録された情報に対する分析を実行する。さらに、装置７００は、収集された情報が、健康装置４００の使用の時間と比べて、所定の相関性から逸脱するとき、介護者、ユーザ、医師に警告信号を提供する警告モジュール７１２を含む。警報を、ウェアラブル装置３００のディスプレイ上に、無線通信装置２００のディスプレイ上に、あるいは健康装置４００／５００／６００のディスプレイ上に提供することができる。オーディオ、触覚等のような警告の代替方法も想定することができる。
【００４５】
代替的な実施形態（図６ａ）では、装置７００は、吸入器４００のような健康装置に組み込まれる。
【００４６】
一実施形態において、装置７００は、メモリに格納することができるソフトウェアを実行するためのハードウェア装置である。一部の実施形態では、受信モジュール７０２、選択モジュール７０４、オペレーティングモジュール７０６、記録モジュール７０８、分析モジュール７１０及び警告モジュール７１２といったモジュールは、処理ユニット７１４上で動作するソフトウェアとして実装されてもよい。これらのモジュールは、メモリ８０４のような装置７００のメモリにソフトウェア命令として格納されてよく、モジュールと通信する処理ユニット７１４がそこに格納されたソフトウェア命令を実行する。一部の実施形態では、装置７００は、ハードウェアで実装されても、ソフトウェアとハードウェアの組合せで実装されてもよい。プロセッサモジュール７１４は、すなわち処理ユニット７１４とも呼ばれ得るが、実質的に任意のカスタムメイドの又は市販のプロセッサ、中央処理ユニット（ＣＰＵ）、デジタル信号プロセッサ（ＤＳＰ）又はコンピュータに関連付けられる幾つかのプロセッサの中の補助プロセッサとすることができる。プロセッサは、半導体ベースのマイクロプロセッサ（マイクロチップの形態）であってもマイクロプロセッサであってもよい。
【００４７】
メモリ８０４は、揮発性メモリ素子（例えば動的ランダムアクセスメモリ（ＤＲＡＭ）、静的ランダムアクセスメモリ（ＳＲＡＭ）等のランダムアクセスメモリ（ＲＡＭ））及び不揮発性メモリ素子（例えばＲＯＭ、消去可能なプログラム可能な読み出し専用メモリ（ＥＰＲＯＭ）、電子的に消去可能なプログラム可能な読み出し専用メモリ（ＥＥＰＲＯＭ）、プログラム可能な読み出し専用メモリ（ＰＲＯＭ）、テープ、コンパクトディスク読み出し専用メモリ（ＣＤ−ＲＯＭ）、ディスク、カートリッジ、カセット及び同様のもの等）のいずれか一方又は組合せを含むことができる。さらに、メモリは、電子、磁気、光学及び／又は他のタイプの記憶媒体を組み込むことができる。なお、メモリは、様々な構成要素が互いに離れて位置するが、プロセッサによってアクセス可能な分散アーキテクチャを有することができることに留意されたい。
【００４８】
メモリ内のソフトウェアは、１つ以上の別個のプログラムを含んでよく、その各々が論理機能を実現するための実行可能命令の順序付きリストを含む。例えばメモリ内のソフトウェアは、例示的な実施形態に従って、適切なオペレーティングシステム（Ｏ／Ｓ）、コンパイラ、ソースコード及び１つ以上のアプリケーションのうちの１つ以上を含むことができる。
【００４９】
本発明は、図面及び前述の説明において詳細に図示され説明されてきたが、そのような図示及び説明は、説明又は例示的なものであり、制限的ではないとみなされるべきであり、本発明は開示された実施形態に限定されない。開示された実施形態に対する他の変更は、図面、開示及び添付の特許請求の範囲の研究から、特許請求に係る発明を実施する際に、当業者によって理解され、達成され得る。
【００５０】
開示された実施形態に対する他の変更は、図面、開示及び添付の特許請求の範囲の研究から、特許請求に係る発明を実施する際に、当業者によって理解され、達成され得る。特許請求の範囲において、「含む（comprising）」という語は他の要素又はステップを排除するものではなく、不定冠詞「a」又は「an」は複数を除外しない。特定の手段が相互に異なる従属請求項に記載されているという単なる事実は、これらの手段の組合せが有利に使用できないことを示すものではない。特許請求の範囲内のいかなる参照符号も、その範囲を限定するものとして解釈されるべきではない。
【図１】
2019525792.tif 000003
【図２】
2019525792.tif 000004
【図３】
2019525792.tif 000005
【図４】
2019525792.tif 000006
【図４ａ】
2019525792.tif 000007
【図５】
2019525792.tif 000008
【図６】
2019525792.tif 000009
【図６ａ】
2019525792.tif 000010
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
複数のセンサを含むウェアラブル装置又は埋め込み型装置の電力管理のためのコンピュータ実施方法であって、各センサは、ユーザの対応する生理学的情報を提供するために構成され、各センサは、第１電力モード及び第２電力モードを含む少なくとも２つの電力モードで動作するように更に構成され、前記第１電力モードでは、前記ユーザの前記生理学的情報が収集され、前記第２電力モードでは、前記センサは、前記第１電力モードよりも少ない電力を消費し、当該方法は：
前記ユーザの健康状態を治療するように構成される健康装置が使用中であるかどうかを示す信号を受け取るステップであって、前記健康装置は、前記ユーザに対して前記ウェアラブル装置又は前記埋め込み型装置とは異なる位置に配置され、前記信号は、使用中の前記健康装置のタイプに関する情報を更に含む、ステップと；
使用中の前記健康装置のタイプに基づいて、前記ウェアラブル装置の前記複数のセンサから少なくとも１つのセンサを選択するステップと；
ある持続時間の間、前記選択された少なくとも１つのセンサを前記第１電力モードで動作させ、その後、前記選択された少なくとも１つのセンサを前記第２電力モードで動作させるステップと；
を備える、コンピュータ実施方法。
【請求項２】
前記生理学的情報は、バイタルサイン情報及び／又は該バイタルサイン情報から導出される生理学的状態を含む、
請求項１に記載のコンピュータ実施方法。
【請求項３】
前記持続時間は、第１持続時間閾値又は前記健康装置によって提供される治療の有効性の指標の一方に基づき、前記有効性の指標は、前記選択された少なくとも１つのセンサによって提供される前記生理学的情報を、予め定義された有効性の閾値と比較することによって評価される、
請求項１に記載のコンピュータ実施方法。
【請求項４】
前記持続時間中に前記生理学的情報を記録するステップ
を更に含む、請求項１に記載のコンピュータ実施方法。
【請求項５】
前記センサを前記第２電力モードで動作させるステップは、（ｉ）前記センサを非アクティブにすることと、（ｉｉ）前記センサのサンプリングレートを適合させることのうちの一方を含む、
請求項１乃至４のいずれかに記載のコンピュータ実施方法。
【請求項６】
前記信号は、前記健康装置の使用時間に関する情報を更に含み、当該方法は、前記健康装置の前記使用時間に基づいて、前記持続時間の間、前記センサを第１電力モードで動作させるステップを更に含む、
請求項１乃至５のいずれかに記載のコンピュータ実施方法。
【請求項７】
前記健康装置の使用時間及び前記生理学的情報が所定の相関性から逸脱したときに警告を生成するステップを更に含む、
請求項１に記載のコンピュータ実施方法。
【請求項８】
コンピュータ上で実行するとき、請求項１乃至７のいずれかに記載の方法を実行するコンピュータプログラムコードを備える、コンピュータプログラム。
【請求項９】
ウェアラブル装置又は埋め込み型装置の電力管理のための装置であって、前記ウェアラブル装置又は前記埋め込み型装置は複数のセンサを備え、各センサは、ユーザの対応する生理学的情報を提供するために構成され、各センサは、第１電力モード及び第２電力モードを含む少なくとも２つの電力モードで動作するように更に構成され、前記第１電力モードでは、前記ユーザの前記生理学的情報が収集され、前記第２電力モードでは、前記センサは、前記第１電力モードよりも少ない電力を消費し、当該装置は：
処理ユニットと；
前記処理ユニットと電子通信し、前記ユーザの健康状態を治療するように構成される健康装置が使用中であるかどうかを示す信号を受け取るように構成される受信モジュールであって、前記信号は、使用中の前記健康装置のタイプに関する情報を更に含み、前記健康装置は、前記ユーザに対して前記ウェアラブル装置又は前記埋め込み型装置とは異なる位置に配置される、前記受信モジュールと；
前記処理ユニットと電子通信し、使用中の前記健康装置のタイプに基づいて、前記ウェアラブル装置の前記複数のセンサから少なくとも１つのセンサを選択するための選択信号を生成して送信するように構成される選択モジュールと；
前記処理ユニットと電子通信し、（ｉ）ある持続時間の間、前記選択されたセンサを前記第１電力モードで動作させるため、及び（ｉｉ）その後、前記センサを前記第２電力モードで動作させるための動作信号を送信するように構成される、オペレーティングモジュールと；
を備える、装置。
【請求項１０】
前記持続時間は、第１持続時間閾値又は前記健康装置によって提供される治療の有効性の指標の一方に基づき、前記有効性の指標は、前記選択された少なくとも１つのセンサによって提供される前記生理学的情報を、予め定義された有効性の閾値と比較することによって評価される、
請求項９に記載の装置。
【請求項１１】
前記処理ユニットと電子通信し、前記持続時間中に前記生理学的情報をメモリに記録するように構成される記録モジュール
を更に備える、請求項９又は１０に記載の装置。
【請求項１２】
前記選択された少なくとも１つのセンサを前記第２電力モードで動作させるステップは、（ｉ）前記センサを非アクティブにすることと、（ｉｉ）前記センサのサンプリングレートを適合させることのうちの一方を含む、
請求項９乃至１１のいずれかに記載の装置。
【請求項１３】
前記オペレーティングモジュールは、前記健康装置の使用時間に基づいて、前記持続時間の間、前記センサを第１電力モードで動作させるための前記動作信号を生成するように構成され、前記信号は、前記健康装置の使用時間に関する情報を更に含む、
請求項９乃至１２のいずれかに記載の装置。
【請求項１４】
前記処理ユニットと電子通信し、前記健康装置の使用時間及び前記生理学的情報が所定の相関性から逸脱したときに警告を生成するための警告モジュールを更に含む、
請求項９乃至１３のいずれかに記載の装置。
【請求項１５】
ユーザの健康情報を提供するためのシステムであって、当該システムは：
前記ユーザの健康状態を治療するように構成される健康装置が使用中かどうかを示す第１信号を提供するための健康装置と；
ウェアラブル装置又は埋め込み型装置であって、前記ユーザの少なくとも１つの生理学的情報を測定する複数のセンサを備えるウェアラブル装置又は埋め込み型装置と；
請求項９乃至１４のいずれかに記載の装置と；
を備える、システム。
【手続補正２】
【補正対象書類名】明細書
【補正対象項目名】０００３
【補正方法】変更
【補正の内容】
【０００３】
最近では、第２のセットの装置、一般に知られている健康／フィットネストラッカが、人々の人気を集めている。これらの装置は、心拍数、呼吸数等のような様々なバイタルサインもモニタする。しかしながら、現在、これらの装置は、電力管理に関して多くの課題に直面している。これらの装置はデューティサイクル、センサのサンプリングレートを利用して電力を管理するが、これらの装置は依然としてバッテリの問題を抱えている。データが最も重要に必要とされるときにフィットネストラッカが低バッテリであり、不十分なバッテリ充電のために死んでしまうこともしばしばある。
国際公開第２０１４／０２７２７３号には、リモート患者モニタリングシステム及び医療用ボディエリアネットワーク（ＭＢＡＮ：medical  body  area  network）システムを含む医療システムが開示されている。
【手続補正３】
【補正対象書類名】明細書
【補正対象項目名】０００７
【補正方法】変更
【補正の内容】
【０００７】
第１の態様では、ウェアラブル装置又は埋め込み型装置の電力管理のためのコンピュータ実施方法が提供される。ウェアラブル装置又は埋め込み型装置は複数のセンサを含み、各センサは、ユーザの対応する生理学的情報を提供するために構成され、各センサは、第１電力モード及び第２電力モードを含む少なくとも２つの電力モードで動作するように更に構成され、第１電力モードでは、ユーザの生理学的情報が収集され、第２電力モードでは、センサは、第１電力モードよりも少ない電力を消費し、当該方法は：
ユーザの健康状態を治療するように構成される健康装置が使用中であるかどうかを示す信号を受け取るステップであって、健康装置は、ユーザに対してウェアラブル装置又は埋め込み型装置とは異なる位置に配置され、信号は、使用中の健康装置のタイプに関する情報を更に含む、ステップと；
使用中の健康装置のタイプに基づいて、ウェアラブル装置の複数のセンサから少なくとも１つのセンサを選択するステップと；
ある持続時間（time  duration）の間、選択された少なくとも１つのセンサを第１電力モードで動作させ、その後、選択された少なくとも１つのセンサを第２電力モードで動作させるステップとを備える。  
方法は少なくとも部分的にソフトウェアで実装されてよい。
【国際調査報告】
2019525792.tif 000011
2019525792.tif 000012
2019525792.tif 000013